(57)【要約】【課題】リストバンドを用いて多数の人を効率的に整理してグループ分けし、分類されたグループ単位で円滑かつ速やかに行動してもらえるようにする。【解決手段】配付箇所へやって来る人に配付されるリストバンドであって、複数種類の異なる外観仕様がある。配付箇所へやって来た人を、同じ外観仕様のリストバンドを装着しているグループ毎に、グループ分けできるようにしている。【選択図】図５
2019130178.tif 000002
【特許請求の範囲】
【請求項１】
配付箇所へやって来る人に配付されるリストバンドであって、
複数種類の異なる外観仕様がある、
ことを特徴とするリストバンド。
【請求項２】
前記配付箇所へやって来る人を、配付された当該リストバンドの複数種類の異なる外観仕様によって、前記複数のグループにグループ分け可能である、
請求項１に記載のリストバンド。
【請求項３】
表面の色を異ならせて前記複数種類の異なる外観仕様としている、
請求項１または２に記載のリストバンド。
【請求項４】
前記表面の色名を表記してある、
請求項３に記載のリストバンド。
【請求項５】
手首に装着した際の巻き重ね部位に、バンド長手方向における複数個所の一箇所を選択して係止連結する係止手段を備えている、
請求項１ないし４のいずれか一項に記載のリストバンド。
【請求項６】
前記係止手段は、手首に装着した際の巻き重ね部位における上側となるバンド一端側の近傍に切込み形成した係止片と、バンド一端に設けた差込み突起と、巻き重ね部位における下側となるバンド他端側にバンド長手方向一定ピッチで形成した複数の切込みとを備え、
前記係止片が、前記切込みに前記バンド長手方向の一方側へ向かって差し込まれ、前記差込み突起が、他の切込みに前記バンド長手方向の他方側へ向かって差し込まれて係止される、
請求項５に記載のリストバンド。
【請求項７】
前記係止片と前記差込み突起に装着順番を示す番号を付してある、
請求項６に記載のリストバンド。
【発明の詳細な説明】
【技術分野】
【０００１】
本発明は、受付などの配付箇所へやって来る人にそれぞれに配付されるリストバンドに関する。
【背景技術】
【０００２】
リストバンドとしては、例えば、特許文献１に示されているような装飾用リストバンドや、産院などで、生まれた幼児に装着する識別用リストバンドが知られている。
【先行技術文献】
【特許文献】
【０００３】
【特許文献１】実用新案登録第３０６８４９１号公報
【発明の概要】
【発明が解決しようとする課題】
【０００４】
ところで、例えば、災害発生時に開設された避難所では、つめかけた多くの被災者を迅速に受け入れて安全な場所に落ち着けるようにすることが肝要である。また、避難所では、食料、水、救援物資などの配給が行われるが、一度に多くの被災者が押し寄せると混乱をきたし、円滑迅速な配給が困難となる。
【０００５】
本発明は、このような点に鑑みて為されたものであって、リストバンドを用いて多数の人を効率的に整理してグループ分けし、分類されたグループ単位で円滑かつ速やかに行動してもらえるようにすることを目的としている。
【課題を解決するための手段】
【０００６】
上記目的を達成するために、本発明では、次のように構成している。
【０００７】
（１）本発明のリストバンドは、配付箇所へやって来る人に配付されるリストバンドであって、複数種類の異なる外観仕様がある。
【０００８】
本発明によると、リストバンドには、外観仕様の異なる複数種類があるので、配付箇所へやって来た人は、複数種類のいずれかの外観仕様のリストバンドを受け取って装着することになる。したがって、配付箇所へやって来た人を、装着したリストバンドの外観仕様によって、分類することができる。
【０００９】
（２）本発明の好ましい実施態様では、前記配付箇所へやって来る人を、配付された当該リストバンドの複数種類の異なる外観仕様によって、前記複数のグループにグループ分け可能である。
【００１０】
この実施態様によると、配付箇所にやって来た人を、同じ外観仕様のリストバンドを装着したグループ毎に、グループ分けすることができ、多くの人を複数のグループに分類することができる。また、配付した各外観仕様のリストバンドの本数を認識しておくことで、各グループの人数を的確に把握することができる。
【００１１】
配付箇所として、例えば避難所の受付で、当該リストバンドを配付することによって、リストバンドを用いて分類したグループ単位で食料、水、救援物資などの配給、あるいは、所定場所への移動、等を混乱なくかつ速やかに行うことが可能である。
【００１２】
（３）本発明の一実施態様では、表面の色を異ならせて前記複数種類の異なる外観仕様としている。
【００１３】
この実施態様によると、表面の色によって一見してリストバンドの相違を見分けることができ、紛れ込んだ他のグループの人でも容易に見つけることができる。
【００１４】
（４）本発明の他の実施態様では、前記表面の色名を表記してある。
【００１５】
この実施態様によると、色覚障害の方にも色が容易に判り、色名でグループが呼び集められるような場合でも混乱することなく行動することができる。
【００１６】
（５）本発明の一実施態様では、手首に装着した際の巻き重ね部位に、バンド長手方向における複数個所の一箇所を選択して係止連結する係止手段を備えている。
【００１７】
この実施態様によると、手首の太さに応じて巻き付け長さを調整して、しっかりと手首に装着することができる。
【００１８】
（６）本発明の更に他の実施態様では、前記係止手段は、手首に装着した際の巻き重ね部位における上側となるバンド一端側の近傍に切込み形成した係止片と、バンド一端に設けた差込み突起と、巻き重ね部位における下側となるバンド他端側にバンド長手方向一定ピッチで形成した複数の切込みとを備え、前記係止片が、前記切込みに前記バンド長手方向の一方側へ向かって差し込まれ、前記差込み突起が、他の切込みに前記バンド長手方向の他方側へ向かって差し込まれて係止される。
【００１９】
この実施態様によると、難しい操作を要することなくリストバンドを手首に巻き付けて止着することができ、一人での装着も容易に行うことができる。また、係止片及び差込突起を、互いに逆方向へ向かって各切込みにそれぞれ差込んで係止するので、当該リストバンドが弛む周方向へずれ動くことが阻止され、
装着状態を安定に保持することができる。
【００２０】
（７）本発明の好ましい実施態様では、前記係止片と前記差込み突起に装着順番を示す番号を付してある。
【００２１】
この実施態様によると、手順を間違えることなく装着操作を行うことができ、正しく、かつ、速やかにリストバンドを手首に巻き付け装着することができる。
【発明の効果】
【００２２】
このように、本発明によるリストバンドを、配付箇所へやって来る人に配付することで、多数の人を、リストバンドの外観仕様によって、効率的に整理してグループ分けし、グループ単位で円滑かつ速やかに行動してもらえるようにすることができる。
【図面の簡単な説明】
【００２３】
【図１】図１は受付けセットの斜視図である。
【図２】図２は開設した受付けの斜視図である。
【図３】図３は案内表示シートの平面図である。
【図４】図４は入館者名簿の一例を示す平面図である。
【図５】図５は本発明の一実施形態に係るリストバンドの平面図である。
【図６】図６はリストバンドの装着手順を示す斜視図である。
【図７】図７はリストバンドの装着手順を示す斜視図である。
【図８】図８はリストバンドの装着手順を示す斜視図である。
【図９】図９は避難者カードの一例を示す平面図である。
【図１０】図１０は記入案内ファイルの斜視図である。
【図１１】図１１は開いた状態の記入案内ファイルの斜視図である。
【図１２】図１２は開いた状態の記入案内ファイルに避難者カードを挟み込み装填した状態を示す斜視図である。
【図１３】図１３はリストバンド提供形態の一例を示す斜視図である。
【発明を実施するための形態】
【００２４】
以下、本発明の実施形態を図面に基づいて説明する。
【００２５】
この実施形態のリストバンドは、災害時における避難所の受付けで被災者に配布されるものであって、図１に示される受付けセットＳを構成する一つのアイテムとなっている。
【００２６】
図１に示すように、受付けセットＳには、案内表示シート１、避難所である、例えば体育館の入館者名簿２、本発明の一実施形態に係るリストバンド３、避難者カード４、及び、記入案内ファイル５、からなる複数種のアイテムが含まれている。これらアイテムが、箱形のパッケージ６に収容梱包されて自治体やボランティア団体などのユーザーに提供される。
【００２７】
以下、各アイテムについて詳細に説明する。
【００２８】
〔案内表示シート１〕
案内表示シート１は、図２に示すように、避難所の受付け開設箇所において、横長く設置されたテーブル７の上に展開して敷設されるものである。この案内表示シート１は、例えば、上下幅が数十ｃｍ程度、横長さが２００ｃｍ程度に裁断された丈夫な紙製の横長シートである。
【００２９】
この案内表示シート１は、図３に示すように、その長手方向において７つの表示部Ａ〜Ｇに区分されていると共に、各表示部Ａ〜Ｇは、隣接する表示部との境界を折り目として、つづら折りに畳み込むことが可能となっている。
【００３０】
案内表示シート１の長手方向の一端側である左端の表示部Ａは、「まずはこちらへ」の文言と、太字で大きく書かれた「入館受付」の文言が横向きに表記された看板表示部となっている。図２に示すように、この看板表示部Ａを、右隣の表示部Ｂとの境界に形成された折り目に沿って下方に折り曲げて、テーブル７の左端部から垂れ下げる。これによって、テーブル７上がよく見えない周囲からでも被災者の入館手続きを行う「受付け」であることが容易に目視認識できる。
【００３１】
看板表示部Ａの右側に隣接する表示部Ｂ、及び、一つ置きの右側にある表示部Ｄ，Ｆは、受付けに来た被災者がなすべき行動を案内するための案内事項が表記された案内表示部となっている。また、三つの案内表示部Ｂ，Ｄ，Ｆの間にある二つの表示部Ｃ，Ｅ、及び、右端の表示部Ｇは、次に行くべき順路を示す順路表示部となっている。
【００３２】
左端の案内表示部Ｂは、最初になすべき行動を案内するものであることを示す案内番号「１」と、最初になすべき行動を案内するための案内事項である「名前を書く」の文言とが、案内表示部Ｂの上端側に偏って表記されている。これら表記箇所の下方に残された大きい空白領域には、名前を書くのに必要な物である入館者名簿の載置場所であることを示す「名簿置き場」の文言が表記されている。
【００３３】
その右側の案内表示部Ｄは、二番目になすべき行動を案内するものであることを示す案内番号「２」と、二番目になすべき行動を案内するための案内事項である「人数分取る」の文言とが、案内表示部Ｄの上端側に偏って表記されている。これら表記箇所の下方に残された大きい空白領域には、受け取る対象物であるリストバンドの載置場所であることを示す「リストバンド置き場」の文言が表示されている。
【００３４】
更にその右側の案内表示部Ｆは、三番目になすべき行動を案内するものであることを示す案内番号「３」と、三番目になすべき行動を案内するための案内事項である「カードを取る」の文言とが、案内表示部Ｆの上端側に偏って表記されている。これら表記箇所の下方に残された大きい空白領域には、受け取る対象物である避難者カードの載置場所であることを示す「避難者カード置き場」の文言が表示されている。
【００３５】
なお、図示されていないが、看板表示部Ａ及び各案内表示部Ｂ，Ｄ，Ｆにおける、案内事項の下には、英語に翻訳した文言が併記されている。
【００３６】
順路表示部Ｃ，Ｅには、右側に位置する次の案内番号「２」，「３」と、順路を示す矢印ｐが大きく表記されている。また、右端の順路表示部Ｇには、四番目になすべき行動を案内するための案内事項である「カードは記入後  回収ボックスへ」の文言と、順路を示す矢印ｐと、次の案内番号「４」とが表記されている。
【００３７】
また、７つの各表示部Ａ〜Ｇは、その境界の折り目の部分で切り取ることもでき、案内表示シート１を展開するテーブルの大きさなどに応じて各表示部Ａ〜Ｇを切り離して使用することができる。したがって、案内表示シート１を展開するテーブルの大きさなどによって使用が制限されることもない。
【００３８】
〔入館者名簿２〕
図４に、第１の案内表示部Ｂに置かれる入館者名簿２の一例が示されている。この入館者名簿２には、氏名と性別の記入欄が複数列（この例では２列）に亘って備えられている。記入欄の上部には、入館する全員の名前（フルネーム）の記入を指示する文言が表記されている。なお、入館者名簿２は、外国人の被災者にも記入してもらう必要があるので、記入項目が外国語、この例では、英語、中国語、韓国語でも表記されている。また、入館者名簿２は、風で飛び散ることのないように、天面を糊つけ接続した冊子状態で提供され、必要に応じて一枚ずつめくり取ることができるようになっている。
【００３９】
〔リストバンド３〕
図５に、第２の案内表示部Ｄに置かれる、本発明の一実施形態に係るリストバンド３の一例が示されている。このリストバンド３は、表面が色分けされた複数種の外観仕様の異なるものが多数枚ずつ準備されている。各色を所定枚（例えば、５０枚）ずつ用意して、受付けを済ませた避難者それぞれの腕に巻付け着用してもらうことで、残ったリストバンド３の数から、受け付けた避難者の人数を把握することが容易となる。また、リストバンド３の色ごとに避難者をグループ分けすることで、救援物資の配布、食事の分配、避難所での移動行動、等をグループ単位で行うのに便利となる。
【００４０】
なお、リストバンド３につける色としては見分けやすいものが望ましく、例えば、明るい色相である白色、赤色、みず色、緑色、オレンジ色、等が好適である。また、色覚障害の方にも色が容易に判るように、色の名称が日本語及び外国語でも表記されている。
【００４１】
リストバンド３は、例えば、幅が約３０ｍｍで、手首に巻きつけるに十分な長さを備えた紙製のものである。リストバンド３の一端側（図５では左端側）に偏った部位に湾曲した係止片３ａが切込み形成されると共に、先端には差込み突起３ｂが形成されている。係止片３ａは、バンド長手方向（図５の左右方向）の一方側である右側へ膨らむように切込み形成され、差込み突起３ｂは、バンド長手方向の他方側である左端から左方へ突出形成されている。
【００４２】
また、他端側（図５では右端側）には複数の台形の切込み３ｃが、バンド長手方向に一定ピッチで形成されている。なお、係止片３ａには装着手順番号「１」が、また、差込み突起３ｂには装着手順番号「２」が付されており、以下のような手順で手首に装着する。
【００４３】
先ず、リストバンド３を手首に巻き付けて、図６に示すように、係止片３ａと差込み突起３ｂとを備えたバンド左端側が、切込み３ｃ群を備えたバンド右端側の上に重なるように位置させる。次に、上に位置する装着手順番号「１」が付されている係止片３ａを、図７に示すように、その下方に位置する切込み３ｃに、バンド長手方向の一方側（図７では右側）へ向かって差し込む。
【００４４】
次に、図８に示すように、装着手順番号「２」が付されている差込み突起３ｂを、その下方に位置する切込み３ｃに、バンド長手方向の他方側（図８では左側）へ向かって差し込むことで、リストバンド３の左端側が捲り上がることを阻止する。
【００４５】
このようにして手首に巻付け装着されたリストバンド３は、係止片３ａと差込み突起３ｂとが、互いに逆方向に向かって、各切込み３ｃにそれぞれ差込まれて係止連結されるので、バンド重なり部位が巻き付けの弛む周方向へずれ動くことが阻止されることになり、差込み突起３ｂを切込み３ｃの下から抜き出さない限り、巻き付けが外れることはない。なお、図示されていないが、リストバンド３の裏面には、上記バンド装着手順がイラストで表記されている。
【００４６】
〔避難者カード４〕
図９に、第３の案内表示部Ｆに置かれる避難者カード４の一例が示されている。この避難者カード４には、記入日、地域住民であるか否かを問うチェックボックス、避難の状況の記入欄、ペットの有無を問うチェック欄、氏名、年齢、備考、などの記入欄、住所の記入欄、電話番号の記入欄、安否の問い合わせに情報を公開しても良いか否かのチェック欄、緊急連絡先の記入欄、等が備えられている。
【００４７】
なお、記入欄やチェック欄が白地になっているのに対して、質問項目の欄は薄く着色されており、これによって記入あるいはチェックを入れる箇所が一目で判るようになっている。
【００４８】
この避難者カード４は、受付けを終了した後、受付け以外の場所で記入すればよいので、受付けでの避難者の流れを阻害することがない。
【００４９】
また、この避難者カード４は、文字記入する項目を必要最小限にとどめ、○（まる）をつけるだけで済む項目を多くするようにしている。これによって、記入にかかる時間的負担や精神的負担が軽くなるよう工夫されている。
【００５０】
〔記入案内ファイル５〕
図１に示される記入案内ファイル５は、日本語が判読できない外国人の被災者が、日本語による上記避難者カード４に、外国語で正しく、容易に記入できるようにするものである。この記入案内ファイル５は、必要に応じてスタッフから避難者カード４と共に、手渡される。
【００５１】
図１０に、英語に対応する英語訳仕様の記入案内ファイル５の一例が示されている。この記入案内ファイル５は、上記避難者カード４より一回り大きい寸法の樹脂シートを二つ折りしたものである。この記入案内ファイル５の上シート５ａと下シート５ｂとの間に、日本語の上記避難者カード４を挟み込み、上シート５ａに形成した切欠き窓８から避難者カード４への記入を行うようになっている。
【００５２】
詳述すると、図１１に示すように、下シート５ｂの下端近くには、横長の係止片９が切込み形成されると共に、下シート５ｂの上下左右の四隅に、避難者カード４の大きさに合わせた鉤形の見当マーク１０が付されている。図１２に示すように、係止片９の下に避難者カード４の下端辺を差し込むと共に、避難者カード４の四隅を上下左右の見当マーク１０に合わせることで、避難者カード４を位置決めして下シート５ｂに保持させることができる。
【００５３】
下シート５ｂに避難者カード４を位置決め保持した状態で、上シート５ａを避難者カード４の上に重ねることで、上シート５ａに形成した各切欠き窓８が、避難者カード４の各記入欄に合致し、各記入欄を露出させる。同時に、上シート５ａの避難者カード４に対する重複領域は不透明となっているので、避難者カード４における各種記入項目の日本語表記を隠すことができる。この日本語表記を隠した部分に、英語に翻訳した記入項目が、図１０に示すように印刷表記されている。
【００５４】
従って、英語を使用する外国人の避難者は、英語で表記された記入項目の質問内容を判読して、日本語で表記された避難者カード４の記入欄に正しい内容で容易に記入することができる。
【００５５】
なお、記入案内ファイル５の下シート５ｂは、上シート５ａよりも上方に延出されており、この延出部の左側に翻訳仕様を示す外国語見出しが表記されると共に、その右側には、記入案内ファイル５の使い方がイラストで表記されている。また、翻訳仕様を示す外国語見出しや表記される外国語は、翻訳する外国語に応じて色分けされており、どの外国語の翻訳仕様であるかを容易に区別できるようにしている。
【００５６】
記入案内ファイル５は、あらゆる国に対応しておくことが望ましいが、現在の日本での外国人の居留人数等を考慮すると、英語、中国語、韓国語の翻訳仕様のものを用意しておくことで、凡そ対応できるものと思われる。
【００５７】
〔パッケージ６〕
図１に示されるパッケージ６は、紙材を箱形に組み上げたものであり、その一方の主面（裏面）にはセット名などが印刷されると共に、他方の主面（表面）及び上下左右の側面には「回収ボックス」の文言と案内番号「４」が表記されている。また、図２中に示すように、裏面における「回収ボックス」の文言の下には、避難者カード４の横幅より長い横長の開口部１１を折込み（あるいは、折り出し）形成することが可能となっている。従って、このパッケージ６は、上記の各種アイテムを収容して運搬及び保管に用いると共に、アイテムを取り出した後の空のパッケージ６を、例えば、図２中に示すように、裏面を上にして、例えば、テーブル上に置くことで、記入された避難者カード４を開口部１１に投入回収する回収ボックスとして使用することができるようになっている。
【００５８】
受付けセットＳは以上のように構成されている。避難所での受付け開設にあたって、避難所スタッフは、搬入したパッケージ６を開いて収納したアイテムを取出す。避難所スタッフは、取り出したアイテムを、図２に示すように、テーブル７の上に案内表示シート１を横長に広げて載置すると共に、案内表示シート１における左端の看板表示部Ａを折り下げてテーブル７の端部に垂れ下げる。次に、第１の案内表示部Ｂに入館者名簿２と筆記具、第２の案内表示部Ｄにリストバンド３、第３の案内表示部Ｆに避難者カード４をそれぞれ置き、これで受付けの開設が完了する。
【００５９】
受付けに来た被災者は、先ず、案内番号「１」が表記された第１の案内表示部Ｂの前に立ち、表記された案内事項を読んで入館者名簿２に必要事項を記入する。次に、順路表示部Ｃの指示に従って案内番号「２」が表記された第２の案内表示部Ｄの前に移動し、表記された案内事項に従ってリストバンド３を受け取る。次に、順路表示部Ｅの指示に従って案内番号「３」が表記された第３の案内表示部Ｆの前に移動し、表記された案内事項に従って避難者カード４と筆記具を受け取って受付けから離れる。次に、受付け以外の場所、例えば、受付け近くの適所に設置されたテーブルなどで所要事項の記入を行い、記入した避難者カード４を、回収ボックス（パッケージ）６の開口部１１に投入する。これで入館手続きが完了し、その後、スタッフの指示に従って、例えば、リストバンド３の色毎にグループ分けされ、グループ毎に所定の安全な場所へ移動する。
【００６０】
日本語の判らない外国人避難者は、避難者カード４の他に、所望言語の記入案内ファイル５を受け取って必要事項を記入して、避難者カード４を回収ボックス（パッケージ）６に投入する。また、使用済みの記入案内ファイル５を受付けに返却することで、後続の外国人避難者に使い回しすることができる。
【００６１】
なお、避難所の状況によっては、避難者カード４を持って先ず所定の安全な場所へ移動し、落ち着いた状況で避難者カード４への記入を行うこともある。
【００６２】
以上のように、受付けに来た被災者は、案内表示シート１上に付された案内番号順に移動してゆくのであるが、一つの案内表示部の横幅とその右側の順路表示部の横幅とを合せた横幅は、人が立つのに十分足りる大きさである。したがって、テーブル７の前に立った、例えば３人の被災者が三つ案内表示部Ｂ，Ｄ．Ｆにおいて互いにぶつかることなく並んで所定の手続きを行い、一列で順次右方に入れ替わり移動してゆくことになる。
【００６３】
受付スタッフが、他の用事で持ち場を離れ、受付にスタッフがいない状態であっても、上記のように、案内表示シート１には、各案内表示部Ｂ，Ｄ，Ｆには、行動を案内するための案内事項とその順番を示す案内番号が表記されていると共に、名簿やリストバンド等が載置されており、更に、順路表示部Ｃ，Ｅには、次に行うべき案内番号及び順路を示す矢印が表記されているので、避難所に来た人は、案内表示シート１に表記された内容を読んで、受付けに必要な手続きをとることも可能である。
【００６４】
避難所の安全な場所に収容された多数の避難者は、装着しているリストバンドの色によって、グループ分けされ、例えば、食料、水、救援物資などの配給の際には、避難所のスタッフによって、グループ単位での行動が指示される。これによって、食料、水、救援物資などの配給の際に、一度に多くの避難者が押し寄せて混乱をきたすことなく、円滑かつ速やかには配給等を行える。
【００６５】
［その他の実施形態］
本発明は、以下のような形態で実施することもできる。
【００６６】
（１）上記実施形態のリストバンド３は、紙材に印刷を施しただけのものであるが、濡れるおそれがある状況下で利用するような場合には、紙材表面に樹脂フィルムを積層したラミネートシートや、肌あたりのよい樹脂シートを素材に使用するとよい。
【００６７】
（２）図１３に示すように、リストバンド３を、所定の印刷を施した紙製のベース材１３から完全に打抜くことなく複数点を残してカット加工を行い、複数のリストバンドを１枚に備えたシート状態でパッケージ６に収容して提供するようにしてもよい。これによると、複数のリストバンド３がばらけることがなく、取り扱いが容易になるとともに、リストバンド３の本数をベース材１３の枚数として容易に数えることができ、管理が容易になる。
【００６８】
（３）あるいは、同色の複数本のリストバンド３が縦列状に繋がった一連の帯状にして提供し、各リストバンド３の境界に予め形成しておいた切れ目やミシン目に沿って切り離し、個々のリストバンド３として配布するようにしてもよい。この場合も、梱包運搬あるいは保管に便利なものとなる。
【００６９】
（４）リストバンド３の外観仕様は、上記のように色を異ならせて見分けやすくする他に、誰でもが判る複数種のマーク（トランプのマーク、星印、三日月、太陽、雪印など）、文様（縞文様、市松文様、波文様、水玉文様など）、数字（アラビア数字など）、文字（アルファベットなど）、イラスト（動物イラスト、乗り物イラストなど）等を目立つよう表記することで、見分けやすい外観仕様とすることもできる。
【００７０】
（５）リストバンド３を手首に巻き付けて連結する手段は上記形態に限られることはなく、周知の連結形態を適宜選択することができる。
【００７１】
（６）上記実施形態に示したリストバンド３は、避難所で避難者をグループ分けするのに対応したものとしているが、その外観仕様を適宜変更することで、各種のイベントなどにおける観客の整理分類に適用することも可能である。
【符号の説明】
【００７２】
３              リストバンド
３ａ            係止片
３ｂ            差込み突起
３ｃ            切込み
【図１】
2019130178.tif 000003
【図２】
2019130178.tif 000004
【図３】
2019130178.tif 000005
【図４】
2019130178.tif 000006
【図５】
2019130178.tif 000007
【図６】
2019130178.tif 000008
【図７】
2019130178.tif 000009
【図８】
2019130178.tif 000010
【図９】
2019130178.tif 000011
【図１０】
2019130178.tif 000012
【図１１】
2019130178.tif 000013
【図１２】
2019130178.tif 000014
【図１３】
2019130178.tif 000015